(57)【特許請求の範囲】
【請求項１】
床材を支持する略平行な床横架材間に、該床横架材の下面から下方へ下側が突出するように内部から空調空気としての暖気を吹出可能な吹出型の空調装置が取り付けられており、
前記空調装置には、前記床横架材と面する側の側面の下側突出部に、空調空気としての暖気を吹き出す吹出口が設けられていることを特徴とする空調装置の取付構造。
【請求項２】
前記空調装置には、前記床横架材と面しない側の側面にも、空調空気としての暖気を吹き出す吹出口が設けられていることを特徴とする請求項１に記載の空調装置の取付構造。
【請求項３】
前記床材の下面と前記空調装置の上面との間には、隙間が設けられており、前記空調装置の上面には、空調空気を吸い込む吸込口が設けられていることを特徴とする請求項１又は２に記載の空調装置の取付構造。
【請求項４】
前記空調装置の下面にも、空調空気としての暖気を吹き出す吹出口が設けられていることを特徴とする請求項１乃至３のいずれか１項に記載の空調装置の取付構造。
【請求項５】
請求項１乃至４のいずれか１項に記載の空調装置の取付構造を備えているとともに、前記空調装置の下端部は、建物ユニットの下端から下方へ突出しないようにされていることを特徴とする建物ユニット。
【請求項６】
請求項５に記載の建物ユニットを備えていることを特徴とするユニット建物。
【発明の詳細な説明】
【技術分野】
【０００１】
本発明は、床下暖房を行うための空調装置の取付構造、この空調装置の取付構造を備えた建物ユニット、及びこの建物ユニットを備えたユニット建物に関するものである。
【背景技術】
【０００２】
従来、例えば、特許文献１には、床材を支持する床横架材としての床小梁間に床下暖房を行うための空調装置を取り付けた空調装置の取付構造が開示されている。
【先行技術文献】
【特許文献】
【０００３】
【特許文献１】特開２００５−３３６７３６号公報
【発明の概要】
【発明が解決しようとする課題】
【０００４】
しかしながら、上記した特許文献１のような従来の空調装置の取付構造では、１階の床下空間のみへ適用することを主眼としているため、空調空気を吹き出す吹出口が、空調装置の下面に設けられている。
【０００５】
このため、２階以上の床下空間へ適用しようとしても、特に、建物ユニットを組み付けて成るユニット建物などでは、この２階以上の床下空間の高さが低いので、空調空気としての高温の暖気が天井面材などの下側部材へ直接吹き付けられ、品質劣化を生じさせてしまうおそれがあった。
【０００６】
そこで、本発明は、２階以上の床下空間へも適用することができる空調装置の取付構造、この空調装置の取付構造を備えた建物ユニット、及びこの建物ユニットを備えたユニット建物を提供することを目的としている。
【課題を解決するための手段】
【０００７】
前記目的を達成するために、本発明の空調装置の取付構造は、床材を支持する略平行な床横架材間に、該床横架材の下面から下方へ下側が突出するように空調装置が取り付けられており、前記空調装置には、前記床横架材と面する側の側面の下側突出部に、空調空気を吹き出す吹出口が設けられていることを特徴とする。
【０００８】
ここで、前記空調装置には、前記床横架材と面しない側の側面にも、空調空気を吹き出す吹出口が設けられているとよい。
【０００９】
また、前記床材の下面と前記空調装置の上面との間には、隙間が設けられており、前記空調装置の上面には、空調空気を吸い込む吸込口が設けられているとよい。
【００１０】
さらに、前記空調装置の下面にも、空調空気を吹き出す吹出口が設けられていてもよい。
【００１１】
本発明の建物ユニットは、上記した空調装置の取付構造を備えているとともに、前記空調装置の下端部は、建物ユニットの下端から下方へ突出しないようにされていることを特徴とする。
【００１２】
本発明のユニット建物は、上記した建物ユニットを備えていることを特徴とする。
【発明の効果】
【００１３】
このような本発明の空調装置の取付構造は、床材を支持する略平行な床横架材間に、床横架材の下面から下方へ下側が突出するように空調装置が取り付けられている。
【００１４】
そして、空調装置には、床横架材と面する側の側面の下側突出部に、空調空気を吹き出す吹出口が設けられた構成とされている。
【００１５】
こうした構成なので、空調空気としての高温の暖気が天井面材などの下側部材へ直接吹き付けられ、品質劣化を生じさせるおそれがなく、２階以上の床下空間に適用することができる。
【００１６】
そのうえ、高温の暖気は、横方向に吹き出されるため、障害物に邪魔されることなく、床下空間の広域に行き渡り、効率的な床下暖房を行うことができる。
【００１７】
ここで、空調装置には、床横架材と面しない側の側面にも、空調空気を吹き出す吹出口が設けられている場合は、床横架材に邪魔されることなく、より多くの空調空気としての高温の暖気を吹き出すことができ、より効率的な床下暖房を行うことができる。
【００１８】
また、床材の下面と空調装置の上面との間には、隙間が設けられており、空調装置の上面には、空調空気を吸い込む吸込口が設けられている場合は、吸込口の上方の２つの側面が、床横架材で遮られているので、吹出口から吹き出される空調空気としての高温の暖気を、吸込口から直ちに吸い込んでしまう割合が小さくなり、さらにより効率的な床下暖房を行うことができる。
【００１９】
さらに、空調装置の下面にも、空調空気を吹き出す吹出口が設けられている場合は、例えば、トイレの下などの基礎壁により他の１階部分の床下空間と隔離された場所などに適用することができる。
【００２０】
このような本発明の建物ユニットは、上記した空調装置の取付構造を備えているとともに、空調装置の下端部は、建物ユニットの下端から下方へ突出しないようにされた構成とされている。
【００２１】
こうした構成なので、空調装置を工場などで予め取り付けておくことで、工期の短縮を図ることができる。
【００２２】
そのうえ、通常の建物ユニット同様に平置きでき、空調装置が建物ユニットの搬送時や輸送時の支障とならない。
【００２３】
このような本発明のユニット建物は、上記した建物ユニットを備えた構成とされている。
【００２４】
こうした構成なので、上記した建物ユニットの効果を享受したユニット建物を構築することができる。
【図面の簡単な説明】
【００２５】
【図１】実施例のユニット建物の概略構成を示す斜視図である。
【図２】実施例の建物ユニットの概略構成を一部破断して示す斜視図である。
【図３】実施例のエアコンディショナの屋内機の概略構成を拡大して示す斜視図である。
【図４】（ａ）は、実施例の空調装置の取付構造の概略構成を示す部分拡大断面図であり、（ｂ）は、（ａ）におけるＡ−Ａ線矢視断面図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例のユニット建物Ｕの概略構成を示している。
【００２９】
このユニット建物Ｕは、基礎３上に、１階部分の建物ユニット１Ａ，・・・と、２階部分の建物ユニット１，・・・と、屋根パネル４とを組み付けて建物本体が構築されている。
【００３０】
この実施例の空調装置の取付構造は、２階部分の建物ユニット１に実施されており、図２は、この建物ユニット１の概略構成を示している。
【００３１】
この建物ユニット１は、４本の角形鋼管から成る柱１１，・・・と、これらの柱１１，・・・の下端部間を連結した４本の溝形鋼から成る床梁１２，・・・と、これらの柱１１，・・・の上端部間を連結した４本の溝形鋼から成る天井梁１３，・・・とを有する骨組み構造体である。
【００３２】
ここで、対向する長辺側の床梁１２，１２間には、複数本の床横架材としての床小梁１５，・・・が略平行に略等間隔で架け渡され、これらの床小梁１５，・・・の上に、パーチクルボードなどから成る床材１４が取り付けられて床が形成されている。
【００３３】
また、対向する長辺側の天井梁１３，１３間には、複数本の天井野縁１７，・・・が略平行に略等間隔で架け渡され、これらの天井野縁１７，・・・の下に、石膏ボードなどから成る天井面材１８が取り付けられて天井が形成されている。
【００３４】
さらに、外壁（図示せず）を設ける箇所では、床梁１２と天井梁１３との間に間柱１６が取り付けられ、間柱１６の屋外側に外壁材が取り付けられ、屋内側に内壁材が取り付けられ、外壁材と内壁材との間に、グラスウールなどの断熱材が設けられて壁が形成される。
【００３５】
そして、この実施例の空調装置の取付構造では、床横架材としての床小梁１５，１５間に、空調装置としての暖房機能を有するエアコンディショナの屋内機２が取り付けられている。
【００３６】
ここで、このエアコンディショナの屋内機２は、ヒートポンプ式であり、ユニット建物Ｕの屋外に設置された図示省略の屋外機と熱媒循環管路により接続されている。
【００３７】
この空調装置としてのエアコンディショナの屋内機２は、図３に示したように、略直方体の形状をしており、床小梁１５，１５の下面から下側の約１／３を下方へ突出させて、図示省略の受け具により床小梁１５，１５間に取り付けられている。
【００３８】
そして、このエアコンディショナの屋内機２の床小梁１５と面しない側の側面には、スリット状の吹出口２ａ，・・・が設けられている。
【００３９】
また、このエアコンディショナの屋内機２の床小梁１５と面する側の側面の下側突出部には、スリット状の吹出口２ｂ，・・・が設けられている。
【００４０】
さらに、床材１４の下面とエアコンディショナの屋内機２の上面との間には、隙間が設けられており、このエアコンディショナの屋内機２の上面には、吸込口２ｃが設けられている。
【００４１】
これにより、図４（ａ）及び図４（ｂ）に示したように、１階部分の建物ユニット１Ａの天井野縁１７Ａ，・・・の下に取り付けられた天井面材１８Ａと、２階部分の建物ユニット１の床小梁１５，・・・の上に取り付けられた床材１４との間に形成された２階部分の床下空間５から２階部分の床上空間６を、エアコンディショナの屋内機２で床下暖房を行えるようになっている。
【００４２】
すなわち、図示省略のコントローラを操作して、エアコンディショナの屋内機２を稼動させると、白抜き矢印で示したように、吹出口２ａ，・・・及び２ｂ，・・・から空調空気としての高温の暖気が吹き出される。
【００４３】
そして、２階部分の床下空間５の熱が、点線矢印で示したように、２階部分の床上空間６に伝達し、２階部分の床上空間６が暖められる。
【００４４】
なお、エアコンディショナの屋内機２の吸込口２ｃからは、黒矢印で示したように、２階部分の床下空間５を暖めた後の空調空気としての暖気を吸い込んで、２階部分の床下空間５内で、空調空気としての暖気の循環が行われる。
【００４５】
次に、実施例の作用効果について説明する。
【００４６】
このような実施例の空調装置の取付構造は、床材１４を支持する略平行な床横架材としての床小梁１５，１５間に、床小梁１５，１５の下面から下方へ下側が突出するように空調装置としてのエアコンディショナの屋内機２が取り付けられている。
【００４７】
そして、エアコンディショナの屋内機２には、床小梁１５と面する側の側面の下側突出部に、空調空気としての高温の暖気を吹き出す吹出口２ｂ，・・・が設けられた構成とされている。
【００４８】
こうした構成なので、空調空気としての高温の暖気が天井面材１８Ａなどの下側部材へ直接吹き付けられ、品質劣化を生じさせるおそれがなく、２階の床下空間５に適用することができる。
【００４９】
そのうえ、高温の暖気は、横方向に吹き出されるため、障害物に邪魔されることなく、２階部分の床下空間５の広域に行き渡り、効率的な床下暖房を行うことができる。
【００５０】
ここで、エアコンディショナの屋内機２には、床小梁１５と面しない側の側面にも、空調空気としての高温の暖気を吹き出す吹出口２ａ，・・・が設けられている。
【００５１】
このため、床小梁１５に邪魔されることなく、より多くの空調空気としての高温の暖気を吹き出すことができ、より効率的な床下暖房を行うことができる。
【００５２】
また、床材１４の下面と空調装置としてのエアコンディショナの屋内機２の上面との間には、隙間が設けられており、エアコンディショナの屋内機２の上面には、２階部分の床下空間５を暖めた後の空調空気としての暖気を吸い込む吸込口２ｃが設けられている。
【００５３】
このため、吸込口２ｃの上方の２つの側面が、床横架材としての床小梁１５，１５で遮られているので、吹出口２ａ，・・・及び２ｂ，・・・から吹き出される空調空気としての高温の暖気を、吸込口から直ちに吸い込んでしまう割合が小さくなり、さらにより効率的な床下暖房を行うことができる。
【００５４】
さらに、空調装置としてのエアコンディショナの屋内機２には、ヒートポンプ式のものを用いる。
【００５５】
このため、省エネルギー性能に優れたものとすることができる。
【００５６】
このような実施例の建物ユニット１は、上記した空調装置の取付構造を備えているとともに、空調装置としてのエアコンディショナの屋内機２の下端部は、建物ユニット１の下端から下方へ突出しないようにされた構成とされている。
【００５７】
こうした構成なので、空調装置としてのエアコンディショナの屋内機２を工場などで予め取り付けておくことで、工期の短縮を図ることができる。
【００５８】
そのうえ、通常の建物ユニット同様に平置きでき、エアコンディショナの屋内機２が建物ユニット１の搬送時や輸送時の支障とならない。
【００５９】
このような実施例のユニット建物Ｕは、上記した建物ユニット１を備えた構成とされている。
【００６０】
こうした構成なので、上記した建物ユニット１の作用効果を享受したユニット建物Ｕを構築することができる。
【００６１】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００６２】
例えば、上記した実施例では、ユニット建物Ｕを、説明が簡単なように、単純な２階建てとしたが、これに限定されず、３階建て以上のものとして実施してもよい。
【００６３】
また、上記した実施例では、空調装置の取付構造を、ユニット建物Ｕにおいて実施したが、これ限定されず、通常の軸組建物などで実施してもよい。
【００６４】
さらに、上記した実施例では、空調装置の取付構造を、２階部分の床下空間５で実施したが、これに限定されず、１階部分の床下空間や３階以上部分の床下空間で実施してもよい。
【００６５】
ここで、空調装置の取付構造を、１階部分の床下空間で実施するときは、例えば、トイレの下などの基礎壁により他の１階部分の床下空間と隔離された場所などに適用するとよい。
【００６６】
この場合では、空調装置としてのエアコンディショナの屋内機２の下方が基礎コンクリートであるので、エアコンディショナの屋内機２の下面にも、吹出口を設けて、より多くの空調空気としての高温の暖気を吹き出せるようにして実施してもよい。
【００６７】
また、上記した実施例では、空調装置としてのエアコンディショナの屋内機２を、床横架材としての床小梁１５，１５間に接触させて隙間なく取り付けて実施したが、これに限定されず、床小梁１５，１５との間に隙間を設けて実施してもよい。
【符号の説明】
【００６８】
Ｕ      ユニット建物
１      ２階部分の建物ユニット
１Ａ    １階部分の建物ユニット
１１    ２階部分の建物ユニットの柱
１２    ２階部分の建物ユニットの床梁
１３    ２階部分の建物ユニットの天井梁
１４    ２階部分の建物ユニットの床材
１５    ２階部分の建物ユニットの床小梁（床横架材）
１６    ２階部分の建物ユニットの間柱
１７    ２階部分の建物ユニットの天井野縁
１７Ａ  １階部分の建物ユニットの天井野縁
１８    ２階部分の建物ユニットの天井面材
１８Ａ  １階部分の建物ユニットの天井面材
２      エアコンディショナの屋内機（空調装置）
２ａ    吹出口
２ｂ    吹出口
２ｃ    吸込口
３      基礎
４      屋根パネル
５      ２階部分の床下空間
６      ２階部分の床上空間
【図１】
0005616726.tif 000002
【図２】
0005616726.tif 000003
【図３】
0005616726.tif 000004
【図４】
0005616726.tif 000005